【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
シートが積載される積載面を有するシート積載手段と、
前記積載面に積載されたシートの端部の位置を規制する規制面を有し前記シート積載手段に対して移動可能な本体と、前記本体の前記シート積載手段に対する移動を規制する第１位置と、前記本体の前記シート積載手段に対する移動を許容する第２位置と、の間で前記本体に移動可能に支持され、押圧面を押圧操作されることで前記第１位置から前記第２位置へ移動する操作部と、を有するシート規制手段と、
前記本体に着脱可能に支持され、前記操作部を視認不能となるように覆うカバー部材と、を備える、
ことを特徴とするシート積載装置。
【請求項２】
前記カバー部材は、前記押圧面に対向する第１面と、前記第１面の上端に接続されると共に前記操作部の上面に対向する第２面と、を有する、
ことを特徴とする請求項１に記載のシート積載装置。
【請求項３】
シートが積載される積載面を有するシート積載手段と、
前記積載面に積載されたシートの端部の位置を規制する規制面を有し前記シート積載手段に対して移動可能な本体と、前記本体の前記シート積載手段に対する移動を規制する第１位置と、前記本体の前記シート積載手段に対する移動を許容する第２位置と、の間で前記本体に移動可能に支持され、押圧面を押圧操作されることで前記第１位置から前記第２位置へ移動する操作部と、を有するシート規制手段と、
前記操作部に近接する近接位置と、前記近接位置よりも前記操作部から離れた離間位置と、の間で前記本体に対して移動可能に支持され、前記近接位置において前記操作部を視認不能となるように覆うカバー部材と、を備える、
ことを特徴とするシート積載装置。
【請求項４】
前記カバー部材は、前記近接位置において前記押圧面に対向する第１面と、前記第１面の上端に接続されると共に前記近接位置において前記操作部の上面に対向する第２面と、を有する、
ことを特徴とする請求項３に記載のシート積載装置。
【請求項５】
シートが積載される積載面を有するシート積載手段と、
前記積載面に積載されたシートの端部を規制する規制面を有し前記シート積載手段に対して移動可能な本体と、前記本体の前記シート積載手段に対する移動を規制する第１位置と、前記本体の前記シート積載手段に対する移動を許容する第２位置と、の間で前記本体に移動可能に支持され、押圧面を押圧されることで前記第１位置から前記第２位置へ移動する操作部と、を有するシート規制手段と、
前記本体に設けられ、前記押圧面への操作ができなくなるように前記押圧面をカバーするカバー部材と、を備える、
ことを特徴とするシート積載装置。
【請求項６】
前記カバー部材は、前記操作部の前記押圧面及び上面に沿って配置される、
ことを特徴とする請求項１乃至５のいずれか１項に記載のシート積載装置。
【請求項７】
前記シート規制手段は、
前記シート積載手段に設けられた被係合部に係合可能な係合部を有すると共に前記操作部に連動し、前記操作部が前記第１位置にある際に前記係合部が前記被係合部に係合して前記本体の移動を規制する規制位置と、前記操作部が前記第２位置にある際に前記係合部が前記被係合部から離脱して前記本体の移動を許容する許容位置と、に移動可能な係合部材と、
前記係合部材を前記規制位置に向けて付勢する付勢手段と、を有する、
ことを特徴とする請求項１乃至６のいずれか１項に記載のシート積載装置。
【請求項８】
前記カバー部材は、前記係合部材が前記規制位置から前記許容位置へ移動することを規制可能な移動規制部を有する、
ことを特徴とする請求項７に記載のシート積載装置。
【請求項９】
前記被係合部及び前記係合部は、前記係合部材の移動方向に平行な係合面をそれぞれ有する、
ことを特徴とする請求項７又は８に記載のシート積載装置。
【請求項１０】
前記被係合部は、互いに向かい合った第１歯列及び第２歯列を有し、
前記係合部は、前記第１歯列に噛合する第１ラックと、前記第２歯列に噛合する第２ラックと、を有する、
ことを特徴とする請求項７乃至９のいずれか１項に記載のシート積載装置。
【請求項１１】
前記被係合部及び前記係合部の少なくともいずれか一方は、前記係合部材の移動方向に対して傾斜し、前記シート規制手段が前記積載面に積載されたシートに近づく方向に所定の押圧力によって押圧されると、前記押圧力を前記係合部材に対して前記規制位置から前記許容位置へ向かう方向に作用させる傾斜面を有する、
ことを特徴とする請求項７又は８に記載のシート積載装置。
【請求項１２】
前記カバー部材は、前記規制面よりも前記積載面に積載されるシートから離れた位置に配置される、
ことを特徴とする請求項１乃至１１のいずれか１項に記載のシート積載装置。
【請求項１３】
前記操作部は、前記第１位置と前記第２位置との間で前記本体が移動する方向に沿って移動可能である、
ことを特徴とする請求項１乃至１２のいずれか１項に記載のシート積載装置。
【請求項１４】
前記カバー部材は、前記近接位置と前記離間位置との間で前記本体に対して前記規制面に沿った方向にスライド可能に支持される、
ことを特徴とする請求項３又は４に記載のシート積載装置。
【請求項１５】
前記シート規制手段は、前記積載面に積載されたシートの給送方向に直交する幅方向における一端の位置を規制し、
前記シート規制手段に連動すると共に、前記積載面に積載されたシートの前記幅方向における他端の位置を規制する他端規制手段を備える、
ことを特徴とする請求項１乃至１４のいずれか１項に記載のシート積載装置。
【請求項１６】
請求項１乃至１５のいずれか１項に記載のシート積載装置と、
前記シート積載装置から給送されるシートに画像を形成する画像形成部と、を備える、
ことを特徴とする画像形成装置。
【手続補正２】
【補正対象書類名】明細書
【補正対象項目名】０００９
【補正方法】変更
【補正の内容】
【０００９】
本発明は、シート積載装置において、シートが積載される積載面を有するシート積載手段と、前記積載面に積載されたシートの端部の位置を規制する規制面を有し前記シート積載手段に対して移動可能な本体と、前記本体の前記シート積載手段に対する移動を規制する第１位置と、前記本体の前記シート積載手段に対する移動を許容する第２位置と、の間で前記本体に移動可能に支持され、押圧面を押圧操作されることで前記第１位置から前記第２位置へ移動する操作部と、を有するシート規制手段と、前記本体に着脱可能に支持され、前記操作部を視認不能となるように覆うカバー部材と、を備える、ことを特徴とする。
【手続補正３】
【補正対象書類名】明細書
【補正対象項目名】００１０
【補正方法】変更
【補正の内容】
【００１０】
また、本発明は、シート積載装置において、シートが積載される積載面を有するシート積載手段と、前記積載面に積載されたシートの端部の位置を規制する規制面を有し前記シート積載手段に対して移動可能な本体と、前記本体の前記シート積載手段に対する移動を規制する第１位置と、前記本体の前記シート積載手段に対する移動を許容する第２位置と、の間で前記本体に移動可能に支持され、押圧面を押圧操作されることで前記第１位置から前記第２位置へ移動する操作部と、を有するシート規制手段と、前記操作部に近接する近接位置と、前記近接位置よりも前記操作部から離れた離間位置と、の間で前記本体に対して移動可能に支持され、前記近接位置において前記操作部を視認不能となるように覆うカバー部材と、を備える、ことを特徴とする。